(57)【要約】【課題】刺繍糸の糸番号から当該糸の所有の有無、実物の色、保管場所を即座に把握し容易に管理するための、および、当該糸を容易にみつけるための刺繍糸管理シートを提供する。【解決手段】台紙には刺繍糸の糸番号を昇順に記載した糸番号欄と、前記糸番号欄に対応して設けられた、前記糸番号に対応する刺繍糸を両面テープを利用するなどして貼り付けるための糸欄と、前記糸番号欄に対応して設けられた、前記糸番号に対応する刺繍糸の保管場所を記入するための保管場所欄と、からなることを特徴とする刺繍糸管理シート。【選択図】図１
2020086420.tif 000002
【特許請求の範囲】
【請求項１】
台紙には刺繍糸の糸番号を昇順に記載した糸番号欄と、
前記糸番号欄に対応して設けられた、前記糸番号に対応する刺繍糸を貼り付けるための糸欄と、
前記糸番号欄に対応して設けられた、前記糸番号に対応する刺繍糸の保管場所を記入するための保管場所欄と、
からなることを特徴とする刺繍糸管理シート。
【請求項２】
前記糸欄が、切込をいれた両面テープによって貼着され、両面テープの剥離紙を剥がした両面テープの粘着部分に刺繍糸を貼り付けることを特徴とする請求項１記載の刺繍糸管理シート。
【請求項３】
請求項１または請求項２記載のシートについて、
刺繍糸のメーカー名と、
糸の種類と、
前記糸番号欄に対応して設けられた、前記糸番号に対応する分類番号を記載した分類番号欄と、
これらのうち少なくとも１つを有することを特徴とする刺繍糸管理シート。
【請求項４】
請求項１または２または３記載のシートについて、
シートを折りたたむことを特徴とする刺繍糸管理シート。
【発明の詳細な説明】
【技術分野】
【０００１】  本発明は、刺繍糸の糸番号から当該糸の所有の有無、実物の色、保管場所を即座に把握し容易に管理するための、および、当該糸を容易にみつけるための刺繍糸管理シートを提供するものである。
【背景技術】
【０００２】  刺繍とは、布や革の上を針で刺繍糸を縫うことにより装飾を施す技術である。刺繍糸はメーカーごとに多くの種類があり、各メーカーが独自に刺繍糸番号を規定している。刺繍には、次のような場合がある。
（Ａ）写真やイメージを元に自分が表現したい色にあう刺繍糸を選択して刺繍を行う場合
（Ｂ）刺繍図案に指定されている刺繍糸で刺繍を行う場合
（Ｂ−１）刺繍図案と刺繍糸がセットで販売されている刺繍キットを利用する場合
（Ｂ−２）刺繍図案のみで刺繍糸は付属していない書籍等を利用する場合【０００３】  前記（Ａ）の場合、所有している刺繍糸から適切なものを選択する、刺繍糸の色見本帳を参考にして刺繍糸を購入するなどして、刺繍を行う。
刺繍糸の色見本帳は、メーカーが販売している刺繍糸を台紙に並べた見本帳である。メーカーごとに市販されており、次のようなものがある。
ディー・エム・シー株式会社
ｈｔｔｐｓ：／／ｗｗｗ．ｄｍｃ．ｃｏｍ／ｊｐ／ｄｍｃ−９００６００８．ｈｔｍｌ
株式会社ルシアン
ｈｔｔｐｓ：／／ｗｗｗ．ａｍａｚｏｎ．ｃｏ．ｊｐ／ｄｐ／Ｂ００ＡＵＣＡＳＮ２
オリムパス製絲株式会社
ｈｔｔｐｓ：／／ｏｌｙｍｐｕｓ−ｔｈｒｅａｄ−ｓｈｏｐ．ｊｐ／ＳＨＯＰ／２５１００５．ｈｔｍｌ
刺繍糸の色見本帳によって実物の刺繍糸の色を把握することができる。刺繍糸の色見本帳において、刺繍糸は、色相等による各メーカーが独自に規定する分類（以下、分類番号とする）ごとに並べられているが、分類番号と糸番号は無関係であり、糸番号順には並んでいない。【０００４】  刺繍糸に関連する色見本帳の先行技術文献について、特許文献１〜６を参照として挙げておく。特許文献１〜３は糸の色見本帳、特許文献４〜５はオリムパス製絲株式会社の色見本ホルダー、特許文献６は素材・色の見本帳である。【０００５】  刺繍糸は８ｍ程度で販売されていることが多く、一つの刺繍作品を完成させても通常は余る。各メーカーの糸番号は数百にも及ぶため、多くの刺繍作品に取り組むと多くの糸番号の刺繍糸が余る。そうすると、前記（Ａ）の場合に備えて、複数の似た色の刺繍糸から自分が表現したい色にあう刺繍糸を選択できるようにするため、余った刺繍糸はおおまかな色相ごとに複数の箱等（以下、保管場所、とする）に入れて保管することが多い。
従って、刺繍糸をみつける場合、まず、おおまかな色相からどの保管場所にあるかを判断し、次に、その保管場所の中から精確な色をもとに刺繍糸をみつけ糸番号が一致しているか確認する、という手順を踏むことが多い。【０００６】  前記（Ｂ）について、まず、刺繍図案について説明する。
刺繍図案は刺繍を行うための図案である。完成図の写真やイメージ図等に、刺繍糸の縫い方、糸の種類、糸番号等を指定したものである。糸番号を補足するものとしてその色がカラー印刷されていることもある。【０００７】  前記（Ｂ−１）について、刺繍キットとしては、次のようなものがある。
ｈｔｔｐｓ：／／ｗｗｗ．ｄｍｃ．ｃｏｍ／ｊｐ／ｔｈｅ−ｎａｔｉｏｎａｌ−ｇａｌｌｅｒｙｄｍｃ−ｃｒｏｓｓ−ｓｔｉｔｃｈ−ｋｉｔｓ−４１２４．ｈｔｍｌ
ｈｔｔｐ：／／ｗｗｗ．ｌｅｃｉｅｎ．ｃｏ．ｊｐ／ｅｍｂｒｏｉｄｅｒｙ／ｆｕｊｉｃｏ／ｉｎｄｅｘ．ｈｔｍｌ
ｈｔｔｐｓ：／／ｏｌｙｍｐｕｓ−ｔｈｒｅａｄ−ｓｈｏｐ．ｊｐ／ＳＨＯＰ／１０８７９８．ｈｔｍｌ
この場合、基本的には、元々所有している刺繍糸をみつける必要はない。ただし、余っている刺繍糸を刺繍キットに付属されている刺繍糸より先に利用するべく、刺繍糸をみつけようとすることもある。【０００８】  前記（Ｂ−２）について、書籍としては、次のようなものがある。
ｈｔｔｐｓ：／／ｗｗｗ．ｔｅｚｕｋｕｒｉｔｏｗｎ．ｃｏｍ／ｉｄｅｅｓ／
ｈｔｔｐｓ：／／ｗｗｗ．ａｍａｚｏｎ．ｃｏ．ｊｐ／ｄｐ／Ｂ０１Ｎ００Ｃ４ＳＪ
ｈｔｔｐ：／／ｋｅｉｙｕ−ｓｈａ．ｃｏ．ｊｐ／ｂｏｏｋｓ／ｆｒａｎｃｅ／
ｈｔｔｐ：／／ｂｏｏｋｓ．ｂｕｎｋａ．ａｃ．ｊｐ／ｎｐ／ｉｓｂｎ／９７８４５７９１１６４３０／
この場合、指定された糸番号をもとに必要な刺繍糸をみつけて、ない場合は新たに購入するなどして、刺繍を行う。【０００９】  必要な刺繍糸をみつけたり購入したりする場合、刺繍糸対応表を参考にすることがある。
刺繍糸対応表は、メーカーごとの糸番号の対応関係を一覧にまとめたものである。インターネット上で公開されており、次のようなものがある。
ｈｔｔｐ：／／ｗｗｗ．ｓｈｕｇｅｉ．ｎｅｔ／ｆｓ／ｓｈｕｇｅｉ／ｃ／ｃｏｌｏｒ／
ｈｔｔｐｓ：／／ｗｗｗ．ｒａｋｕｔｅｎ．ｎｅ．ｊｐ／ｇｏｌｄ／ｓｈｕｇａｌｅ／ｅｍｂｒｏｉｄｅｒｙ／ｏｔｈｅｒ／ｙａｒｎ／ｙａｒｎｌｉｓｔ．ｈｔｍｌ
ｈｔｔｐ：／／ａｋａｉ．ａｉｋｏｔｏｂａ．ｊｐ／ｄｍｃ．ｈｔｍ
必要な刺繍糸の代替品として他メーカーの類似した刺繍糸の糸番号を把握し、それも含めて刺繍糸をみつけたり購入したりする場合がある。
【先行技術文献】
【特許文献】
【００１０】
【特許文献１】実開平６−２２９３５
【特許文献２】実開平６−２１０７１
【特許文献３】平４−１９４０５９
【特許文献４】昭５７−１７５１７４
【特許文献５】昭５７−１２０２２１
【特許文献６】特開２００３−９８９７１
【発明の概要】
【発明が解決しようとする課題】
【００１１】  背景技術には、次のような問題点があった。
（イ）刺繍糸の糸番号から当該糸の所有の有無、実物の色、保管場所を即座に把握し容易に管理することはできない
（ロ）刺繍糸の糸番号から当該糸を容易にみつけることはできない
各メーカーの糸番号は数百にも及ぶため、所有する刺繍糸が多くなるほど、刺繍糸の情報を即座に把握、容易に管理して適切に不足分を購入したり、必要な刺繍糸を容易にみつけて効率的に集中して刺繍を行ったりすることは困難となる。【００１２】  前記（イ）を、刺繍糸の色見本帳、刺繍糸対応表について、説明する。
刺繍糸の色見本帳は、メーカーが販売している刺繍糸を台紙に並べた見本帳であるが、分類番号をもとに分類されており糸番号の昇順等に並んでいないため、糸番号から当該糸の情報を即座に把握し管理すること等は困難である。
刺繍糸対応表は、メーカーごとの糸番号の対応関係を一覧にまとめたものだが、実物の刺繍糸を並べたものではないため、実物の刺繍糸の色等を把握し管理すること等は困難である。【００１３】  前記（ロ）を、刺繍図案、刺繍糸の色見本帳、刺繍糸対応表について、説明する。
刺繍図案で糸番号のみが指定されている場合、おおまかな色相がわからないため、保管場所はわからない。
刺繍図案で糸番号を補足するものとして色が印刷されている場合、おおまかな色相はわかるため、保管場所はわかる。しかし、保管場所の中から目的の刺繍糸をみつけることは困難である。なぜなら、紙面上の色と実物の刺繍糸の色の見え方は異なるから精確な色はわからず、複数の似た色の刺繍糸が保管されている保管場所の中から目的の刺繍糸をみつけることは困難だからである。【００１４】  色見本帳を用いても、刺繍糸を容易にみつけることはできない。なぜなら、色見本帳は分類番号をもとに分類されており糸番号の昇順等に並んでいないため、糸番号から当該糸のおおまかな色相を即座に把握することはできず、保管場所は即座にわからないからである。【００１５】  刺繍糸対応表を用いても、必要な刺繍糸を容易にみつけることはできない。以下、理由を説明する。
まず、刺繍糸対応表を用いて、必要な刺繍糸の代替品として他メーカーの類似した刺繍糸の糸番号を把握しても、おおまかな色相はわからないため、保管場所はわからない。
また、刺繍糸対応表の中には、刺繍糸の色をカラー表示したものもある。この場合、おおまかな色相はわかるため、保管場所は容易にわかる。しかし、保管場所の中から目的の刺繍糸をみつけることは困難である。なぜなら、画面上の色と実物の刺繍糸の色の見え方は異なるから、また、印刷する場合も紙面上の色と実物の刺繍糸の色の見え方は異なるから、精確な色はわからず、複数の似た色の刺繍糸が保管されている保管場所の中から目的の刺繍糸をみつけることは困難だからである。画面上においてはモニターの性質や設定（輝度や明度等）、環境によって見え方は異なり、印刷する場合もプリンタの種類やインク、紙等によって見え方は異なる。
本発明は、以上のような問題点を解決するためになされたものである。
【課題を解決するための手段】
【００１６】  上記の課題を解決するため、紙に、糸番号を昇順に記載し、刺繍糸を貼り付け、保管場所を記入して、管理するものとする。
以下、具体的に説明する。
（ア）台紙に、刺繍糸のメーカー名や糸の種類を記載する。
（イ）刺繍糸の糸番号を昇順に記載した糸番号欄を設ける。
（ウ）前記糸番号欄に対応して、前記糸番号に対応する分類番号を記載した分類番号欄を設ける。
（エ）前記糸番号欄に対応して、前記糸番号に対応する刺繍糸を貼り付けるための糸欄を設ける。
（オ）前記糸欄は、切込をいれた両面テープによって貼着され、両面テープの剥離紙を剥がした両面テープの粘着部分に刺繍糸を貼り付けることができるものである。
（カ）前記糸番号欄に対応して、前記糸番号に対応する刺繍糸の保管場所を記入するための保管場所欄を設ける。
（キ）上記３欄（糸番号欄、糸欄、保管場所欄）あるいは上記４欄（糸番号欄、分類番号欄、糸欄、保管場所欄）を１単位とする。
（ク）１単位を紙内に納まるだけ、横に何列かまたは縦に何行か並べて、１シートとする。
（ケ）１シートを折りたたんで、管理シートとする。
以上を特徴とする刺繍糸管理シートである。
【発明の効果】
【００１７】  以下、背景技術の問題点を解決する発明の効果を説明する。
まず、請求項１〜２に記載の発明によれば、刺繍糸の糸番号から当該糸の所有の有無、実物の色、保管場所を即座に把握し容易に管理することができる。具体的には以下のとおりである。
前記（イ）によって、指定された糸番号を素早く探すことができる。
前記（エ）によって、糸番号から当該糸の所有の有無を即座に把握できる。また、糸番号から刺繍糸の実物の色が即座に把握できる。
前記（カ）によって、糸番号から保管場所を即座に把握し容易に管理できる。
前記（オ）によって、利用者が容易に刺繍糸を貼り付けることができ、管理が容易となる。
また、請求項１に記載の発明によれば、刺繍糸の糸番号から当該糸を容易にみつけることできる。具体的には以下のとおりである。
前記（カ）によって、糸番号から保管場所を即座に把握できる。
前記（エ）によって、糸番号に対応した実物の刺繍糸の色を精確に把握でき、保管場所の中から容易に刺繍糸をみつけることができる。【００１８】  以下、その他の発明の効果について説明する。
まず、請求項２に記載の発明によれば、以下のような効果がある。
前記（オ）によって、両面テープを１度に貼り付けることができ、本発明である刺繍糸管理シートの製造が安価かつ容易となる。
次に、請求項３に記載の発明によれば、以下のような効果がある。
前記（ア）によって、指定されたメーカー名や糸の種類に対応する台紙を素早く探すことができる。
前記（ウ）によって、糸番号から各メーカーの分類番号が即座にわかる。
最後に、請求項４に記載の発明によれば、以下のような効果がある。
前記（キ）（ク）（ケ）によって、利用時は視認性が高く扱いやすいものとなり、収納時は折りたたむことでコンパクトなものとなり、利用や保管、持ち運びが容易となる。
以上の発明の効果により、所有する刺繍糸が多くなっても、刺繍糸の情報を即座に把握、容易に管理して適切に不足分を購入したり、必要な刺繍糸を容易にみつけて効率的に集中して刺繍を行ったりすること等が可能となる。
【図面の簡単な説明】
【００１９】
【図１】１シートの平面図である。
【図２】１単位の糸枠に刺繍糸を貼り付ける際の部分平面図である。
【図３】１単位の利用時の部分平面図である。
【図４】管理シートの斜視図である。
【発明を実施するための形態】
【００２０】  以下、本発明の実施の形態の一例について説明する。
まず、利用者が利用する前の形態について図１を用いて説明する。
（ア）台紙（１）に、右上にシート番号（２）、左上にメーカー名（３）と糸の種類（４）を印刷しておく。
（イ）糸の種類（４）の下に、糸番号枠（９）を縦に並べて、その枠に糸番号（５）を昇順に印刷しておき、これらを糸番号列（１３）とする。各枠の縦幅は４ｍｍとし、後述するように刺繍糸一束（６本）（２３）を１本ずつ広げて表面に貼り付けることができるようにする。
（ウ）糸番号枠（９）の右に隣接する枠に、糸番号（５）の分類番号（６）を表示する分類番号枠（１０）を配置して、その枠に分類番号（６）を印刷しておき、これらを分類番号列（１４）とする。
（エ）分類番号枠（１０）の右に隣接する枠に、所有する刺繍糸を貼り付けるための糸枠（１１）を配置して、これらを糸列（１５）とする。
【００２１】（オ）糸列（１５）について、横幅は一般的な両面テープ（７）の幅である１．５ｃｍとする。また、両面テープ（７）を縦に貼着しておき、糸枠（１１）の上下枠線に、図２のように、両面テープの剥離紙（２１）を剥がすための、両面テープ切込（２０）をいれておく。
（カ）糸枠（１１）の右に隣接する枠に、保管場所（８）を記入するための保管場所枠（１２）を配置して、これらを保管場所列（１６）とする。
（キ）上記４列（糸番号列（１３）、分類番号列（１４）、糸列（１５）、保管場所列（１６））を１単位（１７）とする。
（ク）１単位を、台紙内に納まるだけ横に何列かに並べて、１シート（１８）とする。
（ケ）１シートを、図４のように、横に蛇腹状にとじていき、管理シート（１９）とする。
【００２２】  次に、利用方法を説明する。
前記（エ）（オ）について、利用者が糸番号（５）の刺繍糸を所有している場合は、図２のように、当該糸１束を両面テープ（７）の幅（１．５ｃｍ）に切り取り、糸番号（５）に対応する糸枠（１１）の両面テープの剥離紙（２１）を両面テープ切込（２０）で剥がした後の、両面テープの粘着部（２２）に、刺繍糸一束（６本）（２３）を１本ずつ広げて貼り付ける。特定の刺繍糸を全て使ったり紛失したりして特定の刺繍糸が無くなった場合は、対応する糸枠（１１）の両面テープの粘着部（２２）を台紙（１）から剥がし、新たに両面テープ（７）を貼着しておく。
前記（カ）について、利用者が糸番号（５）の刺繍糸を所有している場合は、図３のように、当該糸について保管場所枠（１２）に保管場所（８）を記入する。
以上のように、所有する刺繍糸の糸番号（５）について、対応する糸枠（１１）に当該の刺繍糸一束（６本）（２３）を貼り付け、対応する保管場所枠（１２）に保管場所（８）を記入することによって、１単位（１７）は図３のようになる。これにより、糸番号（５）ごとに当該糸の情報が即座に判明する。
【００２３】  最後に、前記（ア）〜（ケ）の各効果を説明する。
前記（ア）について、台紙にメーカー名（３）や糸の種類（４）を印刷しておくことによって、指定されたメーカー名や糸の種類に対応する台紙を素早く探すことができる。
前記（イ）について、糸番号（５）を昇順に印刷しておくことによって、指定された糸番号を素早く探すことができる。また、台紙の最下部等の糸番号枠（８）に糸番号（５）を印刷しておかず、空白（２４）としておくことで、メーカーが新たに糸番号を追加した場合に対処することができる。
前記（ウ）について、分類番号列（１４）を印刷しておくことによって、糸番号（５）から各メーカーの分類番号（６）が即座にわかる。分類番号（６）ごとに分類されている刺繍糸の色見本帳との対応も容易となる。
【００２４】  前記（エ）について、刺繍糸一束（６本）（２３）を平らに並べて貼り付けることによって、糸番号から当該糸の所有の有無を即座に把握できる。また、糸番号（５）から刺繍糸の実物の色が即座に把握できる。また、実物の刺繍糸の色を精確に把握でき、保管場所（８）の中から容易に刺繍糸をみつけることができる。
前記（オ）について、糸列（１５）の横幅を１．５ｃｍとすることによって、糸枠（１１）ごとに両面テープを切断して横に貼り付ける必要はなく、糸列（１５）に両面テープを縦に１度に貼り付け横に切り込みを入れることができ、本発明である刺繍糸管理シートの製造が安価かつ容易となる。また、両面テープに切り込みをいれておくことによって、利用者が容易に刺繍糸を貼り付けることができ、管理が容易となる。特定の刺繍糸を全て使ったり紛失したりして特定の刺繍糸が無くなった場合は、対応する糸枠（１１）の両面テープの粘着部（２２）を台紙（１）から剥がし、新たに両面テープ（７）を貼着しておくことで、当該糸の所有の有無を反映させることができるようになる。
【００２５】  前記（カ）について、利用者が保管場所枠（１２）に保管場所（８）を記入することによって、糸番号（５）から保管場所（８）を即座に把握し容易に管理できる。
前記（キ）（ク）（ケ）について、利用時は視認性が高く扱いやすいものとなり、収納時は図４のように折りたたむことでコンパクトなものとなり、利用や保管、持ち運びが容易となる。また、刺繍糸管理シートを店舗に持って行き、所有の有無を確認するなどして購入を検討することも容易となる。なお、管理シート（１９）の折りたたみ方は、蛇腹折りのほか、二つ折り、巻三つ折り、観音折り等も可能である。
【符号の説明】
【００２６】１  台紙
２  シート番号
３  メーカー名
４  糸の種類
５  糸番号
６  分類番号
７  両面テープ
８  保管場所
９  糸番号枠
１０  分類番号枠
１１  糸枠
１２  保管場所枠
１３  糸番号列
１４  分類番号列
１５  糸列
１６  保管場所列
１７  １単位
１８  １シート
１９  管理シート
２０  両面テープ切込
２１  両面テープの剥離紙
２２  両面テープの粘着部
２３  刺繍糸一束（６本）
２４  空白
【図１】
2020086420.tif 000003
【図２】
2020086420.tif 000004
【図３】
2020086420.tif 000005
【図４】
2020086420.tif 000006